(57)【要約】【課題】画像処理のための指示を、感覚的に操作でき、操作利便性を向上する。【解決手段】位置検出センサ７６は、予め定められた矩形体の仮想領域Ａにある接触体７８の位置を電気信号によって検出し、タッチパネル部４０からの離間距離情報Ｂと水平移動方向情報Ｃとを解析する。ＲＯＭ６２には、下位階層の画面と、タッチパネル部４０からの接触体７８の離間距離Ｂとの相関関係が記憶され、タッチパネル部４０に接触することで指示した処理項目８０を上位階層とした場合に、離間距離情報Ｂは、複数設定された下位階層へ移行するときの移行先を特定する。例えば、上位階層画面が「コピー」の場合、５種類の下位階層画面が離間距離Ｂによって選択される。【選択図】図５
2013242773.tif 000002
【特許請求の範囲】
【請求項１】
予め相対的に階層をもって構築した複数の処理項目を記憶する記憶手段と、
前記記憶手段に記憶された処理項目を階層毎に表示する表示部と、
前記表示部に接触体が接触すると、当該接触体が接触している位置に対応する処理項目を特定する特定手段と、
前記特定手段で特定した後に前記表示部から離間する前記接触体と前記表示部との相対位置情報に基づいて、前記特定された複数の処理項目の中から１つの処理項目を選択する選択手段と、
前記表示部の表示形態を、前記選択手段で選択された処理項目に関する下位階層の処理項目へ遷移させる表示形態遷移手段と、
を有する処理項目認識装置。
【請求項２】
前記選択手段が、
前記表示部と前記接触体との離間距離を検出する第１の検出機能と、予め定めた許容範囲内における前記離間距離を維持した状態での前記接触体の前記表示部に対する平行移動方向を検出する第２の検出機能とを備えた検出手段を有し、前記第１の検出機能による検出結果に基づいて前記下位階層の処理項目を選択し、前記第２の検出機能による検出結果に基づいて前記選択した処理項目を確定又は解除する請求項１記載の処理項目認識装置。
【請求項３】
少なくとも前記表示部の上方における予め定めた仮想三次元空間を検出領域とするエリアセンサを備え、
少なくとも１つのエリアセンサによる検出結果に基づいて前記表示部からの離間距離、並びに前記表示部に対する平行移動方向を検出する請求項２記載の処理項目認識装置。
【請求項４】
前記検出手段が、
少なくとも前記表示部の上方における予め定めた仮想三次元空間から入力する光量に基づく電気信号を出力する複数のＬＥＤセンサを備え、
前記接触体の前記仮想三次元空間内の位置によって、複数の前記ＬＥＤセンサに入力する光量の差分に基づいて、前記接触体の表示部からの離間距離、前記表示部に対する平行移動方向を検出する請求項２記載の処理項目認識装置。
【請求項５】
複数の処理項目を記憶する記憶手段と、
前記記憶手段に記憶された処理項目を表示する表示部と、
前記表示部に接触体が接触している位置に基づいて、前記複数の処理項目の中から１の処理項目を特定する特定手段と、
前記特定手段で特定した後に前記表示部から離間する前記接触体と前記表示部との相対位置情報に基づいて、前記特定された処理項目に関する数値パラメータを設定する設定手段と、
を有する処理項目認識装置。
【請求項６】
前記請求項１〜請求項４の何れか１項記載の処理項目認識装置を備えたユーザーインターフェイス部と、
原稿画像を読み取るための画像読取処理機能、前記画像読取処理機能によって読み取った原稿画像を記録用紙へ複写する画像複写処理機能、通信手段を介して受信される画像情報に基づいて記憶用紙へ画像を形成する画像形成処理機能、前記画像読取処理機能によって読み取った原稿画像の情報を通信手段を介して送信する画像情報送信処理機能の少なくとも１つの処理機能を備えた画像処理部と、
前記画像処理装置が備える処理機能を特定する画像を、前記処理項目認識装置における前記表示部の最上位階層として表示させる表示制御手段と、
を有する画像処理装置。
【発明の詳細な説明】
【技術分野】
【０００１】
本発明は、処理項目認識装置に関する。
【背景技術】
【０００２】
画像処理装置において、一般的に適用されるユーザーインターフェイスは、メニュー項目が所謂階層的に構築されている。すなわち、ユーザーインターフェイスとしてのタッチパネルには、複写、画像形成、画像読取、ファクシミリ送受信等の処理を含む画像処理としての主機能の処理項目が表示され、当該タッチパネル上で処理項目毎に区画された所定領域へタッチ操作を行うことで前記主機能の処理項目に対して相対的に下層の位置付けとなる副機能の処理項目が表示されるようになっている。このタッチ操作を繰り返すことで順次下層の機能の項目へ移行することで、目的の機能が選択される。
【０００３】
例えば、主機能の処理項目が「複写」の場合、副機能の処理項目は「部数」等である。
【０００４】
特許文献１には、パネルＵＩと指の接触でパラメータを決定する。パネルＵＩと指の接近操作・接近速度によって画面の拡大・縮小やプレビューのページめくり量を決定することが記載されている。
【０００５】
特許文献２には、パネルＵＩと指の接触領域周辺のパラメータを検索することが記載されている。
【先行技術文献】
【特許文献】
【０００６】
【特許文献１】特開２０１０−２０５０５０号公報
【特許文献２】特開２００７−１４８１４３号公報
【発明の概要】
【発明が解決しようとする課題】
【０００７】
本発明は、本構成を有しない場合に比べて、処理項目の指示を行うための操作利便性を向上することができる処理項目認識装置を得ることが目的である。
【課題を解決するための手段】
【０００８】
請求項１に記載の発明は、予め相対的に階層をもって構築した複数の処理項目を記憶する記憶手段と、前記記憶手段に記憶された処理項目を階層毎に表示する表示部と、前記表示部に接触体が接触すると、当該接触体が接触している位置に対応する処理項目を特定する特定手段と、前記特定手段で特定した後に前記表示部から離間する前記接触体と前記表示部との相対位置情報に基づいて、前記特定された複数の処理項目の中から１つの処理項目を選択する選択手段と、前記表示部の表示形態を、前記選択手段で選択された処理項目に関する下位階層の処理項目へ遷移させる表示形態遷移手段と、を有している。
【０００９】
請求項２に記載の発明は、前記請求項１に記載の発明において、前記選択手段が、前記表示部と前記接触体との離間距離を検出する第１の検出機能と、予め定めた許容範囲内における前記離間距離を維持した状態での前記接触体の前記表示部に対する平行移動方向を検出する第２の検出機能とを備えた検出手段を有し、前記第１の検出機能による検出結果に基づいて前記下位階層の処理項目を選択し、前記第２の検出機能による検出結果に基づいて前記選択した処理項目を確定又は解除する。
【００１０】
請求項３に記載の発明は、前記請求項２に記載の発明において、少なくとも前記表示部の上方における予め定めた仮想三次元空間を検出領域とするエリアセンサを備え、少なくとも１つのエリアセンサによる検出結果に基づいて前記表示部からの離間距離、並びに前記表示部に対する平行移動方向を検出する。
【００１１】
請求項４に記載の発明は、前記請求項２に記載の発明において、前記検出手段が、少なくとも前記表示部の上方における予め定めた仮想三次元空間から入力する光量に基づく電気信号を出力する複数のＬＥＤセンサを備え、前記接触体の前記仮想三次元空間内の位置によって、複数の前記ＬＥＤセンサに入力する光量の差分に基づいて、前記接触体の表示部からの離間距離、前記表示部に対する平行移動方向を検出する。
【００１２】
請求項５に記載の発明は、複数の処理項目を記憶する記憶手段と、前記記憶手段に記憶された処理項目を表示する表示部と、前記表示部に接触体が接触している位置に基づいて、前記複数の処理項目の中から１の処理項目を特定する特定手段と、前記特定手段で特定した後に前記表示部から離間する前記接触体と前記表示部との相対位置情報に基づいて、前記特定された処理項目に関する数値パラメータを設定する設定手段と、を有している。
【００１３】
請求項６に記載の発明は、前記請求項１〜請求項５の何れか１項記載の処理項目認識装置を備えたユーザーインターフェイス部と、原稿画像を読み取るための画像読取処理機能、前記画像読取処理機能によって読み取った原稿画像を記録用紙へ複写する画像複写処理機能、通信手段を介して受信される画像情報に基づいて記憶用紙へ画像を形成する画像形成処理機能、前記画像読取処理機能によって読み取った原稿画像の情報を通信手段を介して送信する画像情報送信処理機能の少なくとも１つの処理機能を備えた画像処理部と、前記画像処理装置が備える処理機能を特定する画像を、前記処理項目認識装置における前記表示部の最上位階層として表示させる表示制御手段と、を有している。
【発明の効果】
【００１４】
請求項１、５記載の発明によれば、本構成を有しない場合に比べて、処理項目の指示を行うための操作利便性を向上することができる。
【００１５】
請求項２に記載の発明によれば、接触体の離間距離と平行移動方向の自動検出によって、感覚的に操作を行うことができる。
【００１６】
請求項３に記載の発明によれば、接触体の離間距離と平行移動方向を正確に検出することができる。
【００１７】
請求項４に記載の発明によれば、接触体の離間距離と平行移動方向を簡便に検出することができる。
【００１８】
請求項６に記載の発明によれば、本構成を有しない場合に比べて、画像処理のための指示を、感覚的に操作でき、操作利便性を向上することができる。
【図面の簡単な説明】
【００１９】
【図１】本実施の形態に係る画像処理装置の概略図である。
【図２】本実施の形態に係る画像処理装置の制御系の構成を示すブロック図である。
【図３】本実施の形態に係る画像処理装置のユーザーインターフェイスを示す拡大図である。
【図４】本実施の形態に係るユーザーインターフェイスの制御系の構成を示すブロック図である。
【図５】（Ａ）はユーザーインターフェイス上の接触体の移動状態を示す斜視図、（Ｂ）はタッチパネル部の上方の予め定められた矩形体の仮想領域を示す拡大図である。
【図６】本実施の形態に係る接触体の仮想領域内での平行移動方向を示す平面図である。
【図７】本実施の形態に係る操作モード設定制御ルーチンを示すフローチャートである。
【図８】本実施の形態に係る接触操作時実行制御ルーチンを示すフローチャートである。
【図９】本実施の形態の実施例１に係り、メインメニューから上位階層の処理項目としてコピーを選択した後の、下位階層の処理項目の画面への遷移状態を示す流れ図である。
【図１０】本実施の形態の実施例１に係り、離間距離に対して選択される下位階層画面の分布図である。
【図１１】本実施の形態の実施例２に係り、（Ａ）は上位階層の処理項目としてコピー部数設定を選択した画面の平面図、（Ｂ）は接触体の離間距離に基づいて下位階層の数値表示が遷移する状態を示す斜視図である。
【図１２】本実施の形態の実施例２に係り、離間距離に対して選択されるコピー部数の数値の分布図である。
【図１３】本実施の形態の実施例３に係り、（Ａ）は上位階層の処理項項目として、音の設定（正常入力音）を選択した画面の平面図、（Ｂ）は接触体の離間距離に基づいて下位階層の音量設定が遷移する状態を示す斜視図である。
【発明を実施するための形態】
【００２０】
図１には、本実施の形態に係る画像処理装置１０が示されている。
【００２１】
画像処理装置１０は、記録用紙に画像を形成する画像形成部１２と、原稿画像を読み取る画像読取部１４と、ファクシミリ通信制御回路１６を備えている。画像処理装置１０は、メインコントローラ１８を備えており、画像形成部１２、画像読取部１４、ファクシミリ通信制御回路１６を制御して、例えば、画像読取部１４で読み取った原稿画像の画像データを一次的に記憶したり、読み取った画像データを画像形成部１２又はファクシミリ通信制御回路１６へ送出したりする。なお、画像読取部１４は上部筐体１０Ａに覆われ、画像形成部１２，ファクシミリ通信制御回路１６、メインコントローラ１８は下部筐体１０Ｂに覆われている。下部筐体１０Ｂのさらに下部は記録用紙を収容する複数段のトレイユニット５０が設けられている。
【００２２】
また、前記画像読取部１４を被覆する上部筐体１０Ｂの上面かつ前方には、画像読取処理、複写処理、画像形成処理、送受信処理を含む処理項目を指示したり、それぞれの処理項目の詳細設定を指示すると共に、画像処理装置１０の状態を表示するためのユーザーインターフェイス５２（以下、「ＵＩ５２」という場合がある。）が配置されている。ユーザーインターフェイス５２は、表示画面に操作者の指等を接触することで指示可能なタッチパネル部４０と、機械的動作（例えば、押圧動作）で指示可能な複数のハードキー５４（図３参照）を備えている。
【００２３】
メインコントローラ１８にはインターネット等のネットワーク通信回線網２０が接続され、ファクシミリ通信制御回路１６には電話回線網２２が接続されている。メインコントローラ１８は、例えば、ネットワーク通信回線網２０を介してホストコンピュータと接続され、画像データを受信したり、ファクシミリ通信制御回路１６を介して電話回線網２２を用いてファクシミリ受信及びファクシミリ送信を実行する役目を有している。
【００２４】
画像読取部１４は、原稿を位置決めする原稿台と、原稿台に置かれた原稿の画像を走査して光を照射する走査駆動系と、走査駆動系の走査により反射又は透過する光を受光して電気信号に変換するＣＣＤ等の光電変換素子と、が設けられている。
【００２５】
画像形成部１２は、感光体を備え、感光体の周囲には、感光体を一様に帯電する帯電装置と、画像データに基づいて光ビームを走査する走査露光部と、前記走査露光部によって走査露光されることで形成された静電潜像を現像する画像現像部と、現像化された感光体上の画像を記録用紙へ転写する転写部と、転写後の感光体の表面をクリーニングするクリーニング部と、が設けられている。また、記録用紙の搬送経路上には、転写後の記録用紙上の画像を定着する定着部を備えている。
【００２６】
画像処理装置１０には、入力電源線２４の先端にコンセント２６が取り付けられており、壁面Ｗまで配線された商用電源３１の配線プレート３２に、当該コンセント２６を差し込むことで、画像処理装置１０は、商用電源３１から、電力の供給を受けるようになっている。
【００２７】
（画像処理装置の制御系ハード構成）
図２は、画像処理装置１０の制御系のハード構成の概略図である。
【００２８】
ネットワーク回線網２０は、前記画像処理装置１０のメインコントローラ１８に接続されている。なお、ネットワーク回路網２０には、画像データを送信元等になり得るＰＣ（端末装置）２９が接続されている。
【００２９】
メインコントローラ１８には、それぞれ、データバスやコントロールバス等のバス３３Ａ〜３３Ｄを介して、ファクシミリ通信制御回路１６、画像読取部１４、画像形成部１２、ユーザーインターフェイス５２が接続されている。すなわち、このメインコントローラ１８が主体となって、画像処理装置１０の各処理部が制御されるようになっている。
【００３０】
また、画像処理装置１０は、電源装置４２を備えており、メインコントローラ１８とは信号ハーネス４３で接続されている。
【００３１】
電源装置４２は、商用電源３１から入力電源線２４を介して電力の供給を受けている。
【００３２】
電源装置４２では、メインコントローラ１８、ファクシミリ通信制御回路１６、画像読取部１４、画像形成部１２、ユーザーインターフェイス５２のそれぞれに対して独立して電力を供給する電力供給線３５Ａ〜３５Ｄが設けられている。このため、メインコントローラ１８では、各処理部（デバイス）に対して個別に電力供給（電力供給モード）、或いは電力供給遮断（スリープモード）し、所謂部分節電制御を可能としている。
【００３３】
（ユーザーインターフェイス（ＵＩ）の構成）
図３に示される如く、上部筐体１０Ａに設置されたユーザーインターフェイス５２は、当該上部筐体１０Ａとは別部材とされたプレート５６上に設けられている。プレート５６の中央部には、タッチパネル部４０が配置されている。また、タッチパネル部４０の図３の左右のプレート５６の表面には、複数のハードキー５４が露出されている。
【００３４】
ハードキー５４は、それぞれ押圧操作によって予め決められた指示情報を確定するものであり、例えば、タッチパネル部４０の表示画面を基本画面に遷移させるためのメニューキー５４Ａ、複写を指定するためのコピーキー５４Ｂ、複写の部数を指定したり、暗唱番号を入力するためのテンキー５４Ｃ、節電を指示したり解除するための節電キー５４Ｄ、処理の実行を指示するためのスタートキー５４Ｅを含む。
【００３５】
図４は、ユーザーインターフェイス５２のハード構成の概略図である。
【００３６】
ユーザーインターフェイス４０は、ＣＰＵ５８、ＲＡＭ６０、ＲＯＭ６２、Ｉ／Ｏ（入出力部）６４及びこれらを接続するデータバスやコントロールバス等のバス６６を備えたマイクロコンピュータ６８を備えている。
【００３７】
前記Ｉ／Ｏ６６には、専用の通信Ｉ／Ｆ７０を介して前記メインコントローラ１８と接続され、情報の送受信がなされている。
【００３８】
また、Ｉ／Ｏ６６には、入力系デバイスとして前記ハードキー５４が接続され、出力系デバイスとしてモニタ用ＬＥＤ７２が接続されている。モニタ用ＬＥＤ７２は、例えば、節電キーに内蔵されており、節電中は点灯、非節電中は消灯する。また、図３に示される如く、モニタ用ＬＥＤ７２は、データ送信中を表示するモニタ７２Ａ、エラー発生を報知するためのモニタ７２Ｂとして適用される場合がある。
【００３９】
図４に示される如く、Ｉ／Ｏ６６には、タッチパネル部４０が接続されている。より詳細には、Ｉ／Ｏ６６には、接触感知パネル４０Ａ、表示ドライバ４０Ｂを介してＬＣＤ表示パネル４０Ｃ、バックライト４０Ｄがそれぞれ接続されている。なお、接触感知パネル４０ＡとＬＣＤ表示パネル４０Ｃとは一体化している。
【００４０】
ここで、本実施の形態のユーザーインターフェイス５２は、接触体検出ユニット７４が設けられている。本実施の形態では、接触体検出ユニット７４は、２個の位置検出センサ７６を備えている。
【００４１】
位置検出センサ７６としては、例えば、二次元センサ（エリアセンサ）が適用可能である。この２個の位置検出センサ７６は、前記タッチパネル部４０の四隅の内の少なくとも２箇所（図３では、手前の２箇所）に対応して、前記プレート５６から露出するように取り付けられている。位置検出センサ７６は、タッチパネル部４０の接触感知パネル４０Ａに接触することで、ＬＣＤ表示パネル４０Ｃに表示されている処理項目を指定する接触体７８（図５参照）の位置を検出する役目を有している。
【００４２】
なお、図５に示される如く、接触体７８は、本実施の形態は、操作者の指先に相当するものであり、例えば、接触感知パネル４０Ａの機能が、静電気を感知して接触位置を認識するものであれば、静電気を発生する部材であってもよい。また、例えば、接触感知パネル４０Ａの機能が、押圧力を感知して接触位置を認識するものであれば、押圧力を発生する部材であってもよい。また、ＬＣＤ表示パネル４０Ｃには、複数の処理項目が縦横に領域を区画して表示される場合があり、これらを区別して指定するには、先端が操作者の指のように、予め定めた先鋭度を持った棒体であることが好ましい。
【００４３】
図５（Ｂ）に示される如く、２個の位置検出センサ７６は、それぞれ、予めタッチパネル部４０の上方の予め定められた矩形体（直方体）の仮想領域Ａにある接触体７８の位置（指の先端位置）を電気信号（電圧）によって検出するようになっている。
【００４４】
検出された電気信号は、接触体検出ユニット７４（図４参照）において、前記矩形体の仮想領域Ａに設定された座標情報に変換され、少なくとも、タッチパネル部４０からの離間距離情報Ｂと、離間された距離を維持した状態での水平移動方向情報Ｃとを解析する。
【００４５】
離間距離情報Ｂは、タッチパネル部４０に接触することで指示した処理項目８０を上位階層とした場合に、複数設定された下位階層へ移行するときの移行先を特定するものである。
【００４６】
位置検出センサ７６としては、エリアセンサ（二次元センサ）が適用可能である。
【００４７】
エリアセンサは、少なくとも前記ＬＣＤ表示パネル４０Ｃの上方における予め定めた仮想三次元空間を検出領域とし、少なくとも１つのエリアセンサによる検出結果に基づいて前記表示部からの離間距離Ｂ、並びに平行移動方向情報Ｃを取得する。
【００４８】
なお、位置検出センサ７６としては、エリアセンサ以外に、少なくとも前記ＬＣＤ表示パネル４０Ｃの上方における予め定めた仮想三次元空間から入力する光量に基づく電気信号を出力する複数のＬＥＤセンサであってもよい。このＬＥＤセンサでは、接触体７８の仮想三次元空間内の位置によって、複数の前記ＬＥＤセンサに入力する光量の差分に基づいて、接触体７８のＬＣＤ表示パネル４０Ｃからの離間距離Ｂ、平行移動方向情報Ｃを取得する。
【００４９】
ここで、詳細は後述するが、例えば、図９（Ａ）に示すように、上位階層画面８２Ａには、複数の処理項目が表示され、その内の「コピー」という処理項目８０には、図９（Ｂ）〜（Ｆ）に示すように、５種類の下位階層画面８２Ａ〜８２Ｆが設定されている。
【００５０】
なお、それぞれの画面に表示される各処理項目には、さらに下位階層の処理項目が存在する場合がある。
【００５１】
図４に示される如く、ユーザーインターフェイス５２のＲＯＭ６２には、例えば、タッチパネル部４０の接触操作により、上位階層の処理項目を指示した後における、下位階層の画面と、タッチパネル部４０からの接触体７８の離間距離Ｂとの相関関係が記憶されている。
【００５２】
現状の位置検出センサ７６の能力では、タッチパネル部４０の上方、１０ｃｍ程度を限度となっている。このため、下位階層の画面の数に応じて分解能を変更することが好ましい。
【００５３】
一方、平行移動方向情報Ｃは、最終判定のために用いられている。すなわち、前記離間距離情報Ｂに基づいて、下位階層画面等が選択された後、当該選択を確定するべく、接触体７６を離間距離を維持しながら平行移動させる。なお、離間距離Ｂの維持の精度に関しては、予め許容範囲を設定すればよい。
【００５４】
例えば、平行移動量ＣＳに対する離間距離Ｂの変化量、すなわち平行移動時のタッチパネル部４０の面と平行な移動方向を０°とした場合の傾斜角度±θ（Ｂ／ＣＳ＝ｔａｎ−１θ）が予め定めた範囲内であれば、離間距離Ｂの変更とせず、平行移動と判定する。
【００５５】
平行移動情報Ｃとしては、例えば、図６（Ａ）〜（Ｄ）に示される如く、画像処理装置１０に対面した状態で前後左右の４方向を設定し、操作者の設定で、接触体７６（本実施の形態では、指）が当該設定された平行移動方向情報Ｃに基づく方向に移動したときに、当該接触体７６が維持している離間距離情報Ｂを確定させる。また、設定された方向以外に平行移動したときは、上位階層の処理項目の選択が維持された状態で、離間距離の再設定を可能とする。
【００５６】
なお、図６（Ｅ）に示される如く、４方向の内、一の方向を離間距離情報Ｂを確定とすると共に、他の一の方向を、離間距離Ｂによる下位階層の処理項目の選択解除としてもよい。この選択解除は、接触体７６が接触した上位階層の処理項目は解除されず、下位階層の処理項目の選択から再始動される。上記２方向以外に操作された場合は、上位階層の処理項目の選択を終了する。
【００５７】
以下、本実施の形態の作用を説明する。
【００５８】
図７は、操作モード設定制御ルーチンであり、ユーザーの設定により、通常モード又は離脱操作モードのいずれかを選択する。
【００５９】
なお、操作モードは、製造段階、出荷段階、或いは設置段階で、ユーザー所望の何れか一方（例えば、「離脱操作モード」）に、予め設定しておくことが好ましい。
【００６０】
図７に示す操作モード設定制御ルーチンは、ユーザーインターフェイス部５２の操作によって、操作モード設定を行う機能が選択された場合に起動し、ステップ１００では、現在の操作モードを認識し、次いでステップ１０２へ移行して、当該現在の操作モードを表示すると共に、変更するか否かの操作を促すメッセージを表示する。
【００６１】
次のステップ１０４では、前記変更するか否かの操作を促すメッセージに対する回答として、「はい（Ｙ）」又は「いいえ（Ｎ）」の入力があったか否かが判断される。
【００６２】
このステップ１０４で肯定判定されると、ステップ１０６へ移行して、回答結果が「いいえ（Ｎ）」の場合は、現在の操作モードを維持しつつ、このルーチンは終了する。
【００６３】
また、ステップ１０６で、回答結果が「はい（Ｙ）」の場合は、ステップ１０８へ移行して、操作モード選択画面を表示すると共にし、選択を促すメッセージを表示する。
【００６４】
次のステップ１１０では、操作モードの変更指示があったか否かが判断され、肯定判定されると、ステップ１１２へ移行して、回答に応じた操作モードに変更する処理（変更キャンセルを含む）を実行し、このルーチンは終了する。
【００６５】
図８は、ユーザーインターフェイス部５２のタッチパネル４０に対し、接触体７８が接触操作したときの表示切替制御の流れを一般化したフローチャートである。
【００６６】
ステップ１５０では、接触体７８が接触したタッチパネル４０の接触領域に基づいて、上位概念の処理項目８０を特定する。次のステップ１５２では、接触体７８がタッチパネル４０から離脱したか否かが判断され、肯定判定されると、ステップ１５４へ移行して、現在が離脱操作モード中か否かが判断される。
【００６７】
このステップ１５４では、否定判定された場合は、通常モードであるので、ステップ１５６へ移行して、特定された上位階層の処理項目８０に設定された複数の下位階層処理項目の内、予め設定された１つの処理項目（デフォルト）を表示して、このルーチンは終了する。
【００６８】
また、ステップ１５４で肯定判定されると、ステップ１５８へ移行して、位置検出センサ７６により、離脱後の、タッチパネル４０と接触体７８との離間距離Ｂを検出する。
【００６９】
次のステップ１６０では、離間距離Ｂに基づいて、下位階層の処理項目を特定し、次いでステップ１６２へ移行して、特定された下位階層の処理項目へ表示を切り替えて、ステップ１６４へ移行する。
【００７０】
ステップ１６４では、特定された離間距離Ｂを維持した状態で、接触体７８が平行移動したか否かが判断される。ステップ１６４で否定判定された場合は、現在の表示状態を維持してステップ１５８へ戻り、上記工程を繰り返す。また、ステップ１６４で肯定判定された場合は、ステップ１６６へ移行して、現在の表示状態を維持しつつ、平行移動方向Ｃを検出する。
【００７１】
次のステップ１６８では、検出した平行移動方向Ｃに基づいて、命令を特定する。本実施の形態では、一の方向で「確定」、他の方向で「解除」、それ以外の方向で「選択終了」の３種類の命令から特定され、ステップ１７０において、それぞれの命令に基づいて、処理が分岐される。
【００７２】
ステップ１７０において、特定された命令が「確定」と判別された場合は、ステップ１７２へ移行して、現在表示されている下位階層処理項目を確定処理項目として固定表示し、このルーチンは終了する。
【００７３】
また、ステップ１７０において、特定された命令が「解除」と判別された場合は、ステップ１７４へ移行して、現在表示されている下位階層処理項目をキャンセルし、選択されている上位処理項目へ戻って表示し、ステップ１５８へ戻り、その後の接触体７８の離間距離Ｂに基づく下位階層の処理項目の表示を再開する。
【００７４】
さらに、ステップ１７０において、特定された命令が「選択終了」と判別された場合は、ステップ１７６へ移行して、現在選択されている上位階層処理項目の選択を終了し、このルーチンは終了する。
【００７５】
（実施例１）コピー設定
図９は、本実施の形態の実施例１に係り、上位階層がメインメニュー画面であり、当該メインメニュー画面で選択された処理項目８０に対する下位階層の処理項目を示す画面の遷移を示している。
【００７６】
図９（Ａ）に示すように、上位階層画面８２Ａには、複数の処理項目が表示され、その内の「コピー」という処理項目８０には、図９（Ｂ）〜（Ｆ）に示すように、５種類の下位階層画面８２Ａ〜８２Ｆが設定されている。
【００７７】
すなわち、図９（Ｂ）は、コピー（基本）画面８２Ｂ（下位階層画面１）であり、複写の倍率、記録用紙サイズ、色指定等を選択する画面である。
【００７８】
図９（Ｃ）は、画質調整画面８２Ｃ（下位階層画面２）であり、画質、濃度、カラーバランス、色あい等を選択する画面である。
【００７９】
図９（Ｄ）は、読み取り方法画面８２Ｄ（下位階層画面３）であり、両面／片面、ページ連写、わく消し等を選択する画面である。
【００８０】
図９（Ｅ）は、出力係止画面８２Ｅ（下位階層画面４）であり、両面／片面、製本、表紙付け等を選択する画面である。
【００８１】
図９（Ｆ）は、ジョブ編集画面８２Ｆ（下位階層画面５）であり、ビルドジョブ、サンプルコピー、大量原稿等を選択する画面である。
【００８２】
なお、それぞれの画面に表示される各処理項目には、さらに下位階層の処理項目が存在する場合がある。
【００８３】
図９（Ａ）に示す上位階層画面８２Ａにおいて、接触体７８が処理項目８０から離脱すると、その離間距離Ｂに応じて、図９（Ｂ）〜（Ｆ）の何れかの下位階層画面８２Ｂ〜８２Ｆが選択されて、表示される。
【００８４】
図１０は、ユーザーインターフェイス５２のＲＯＭ６２に記憶された、離間距離−特定される下位階層画面１〜５との関係の一例を示した特性図である。
【００８５】
図１０では、離間距離Ｂの上限が１００ｍｍであり、２０ｍｍ単位で区画されている。このため、実施例１のように、接触体７８が前記複写（コピー）という処理項目に接触された後、上方へ２０ｍｍ単位で離間させることで、下位階層画面を選択することが可能となる。
【００８６】
（実施例２）コピー部数
図１１は、本実施の形態の実施例２に係り、上位階層が複写（コピー）の部数を設定可能な画面８４Ａであり、下位階層の画面が部数の表示画面とされた場合の遷移図である。
【００８７】
まず、接触体７８を、部数としてのデフォルト値（例えば、「１」）が表示されている領域８６に接触させ（図１１（Ａ）参照）、離脱後の離間距離Ｂに基づいて、部数の表示を徐々に変更（増加又は減少）させる（図１１（Ｂ）参照）。
【００８８】
すなわち、接触体７８が離れれば離れるほど部数が増え、近づけば近づくほど部数が減る。
【００８９】
ここで、複写（コピー）の部数設定の場合、離間距離との間で単純な正比例的な相関を持たせるのではなく、段階的に傾きを変更するようにすればよい。例えば、図１２に示される如く、１〜５０部程度までは、１ｍｍ単位で離間距離を分割し、５０部を超える場合は同じ１ｍｍ単位で２部増加、さらに、１００部を超える場合は同じ１ｍｍ単位で１０部ずつ増加するようにすれば、最大２５０部までの設定が可能である。なお、この離間距離の分解能（１ｍｍ）と部数（０〜２５０部）は一例であり、これらの数値に限定されるものではない。
【００９０】
（実施例３）
図１３は、本実施の形態の実施例３に係り、上位階層が「音の設定」画面８８Ａであり、下位階層が音量とした場合の遷移図である。
【００９１】
図１３（Ａ）に示される如く、「音の設定」画面８８Ａを上位階層画面とし、接触体７８を当該「音の設定」画面８８Ａの「正常入力音」という処理項目に接触させる。これにより、図１３（Ｂ）に示される如く、接触体７８の離間距離情報Ｂに基づいて、音量調整が選択可能となる。
【００９２】
図１３（Ｂ）では、文字「ピ」の相対的な大きさが、音量に準じるように記載しており、離間距離が短ければ短いいほど、音量は小さい（相対的に小さい文字「ピ」と大きい文字「ピ」との関係参照）。
【符号の説明】
【００９３】
１０    画像処理装置
１０Ａ    上部筐体
１０Ｂ    下部筐体
１２    画像形成部
１４    画像読取部
１６    ファクシミリ通信制御回路
１８    メインコントローラ
２０    ネットワーク通信回線網
２２    電話回線網
２４    入力電源線
２６    コンセント
３１    商用電源
３２    配線プレート
３３Ａ〜３３Ｄ    バス
３５Ａ〜３５Ｄ    電力供給線
４０    タッチパネル部
４０Ａ    接触感知パネル
４０Ｂ    表示ドライバ
４０Ｃ    ＬＣＤ表示パネル
４０Ｄ    バックライト
４２    電源装置
４３    信号ハーネス
５２    ユーザーインターフェイス
５２    ユーザーインターフェイス
５６    プレート
５４    ハードキー
５４Ａ    メニューキー
５４Ｂ    コピーキー
５４Ｃ    テンキー
５４Ｄ    節電キー
５４Ｅ    スタートキー
５８    ＣＰＵ
６０    ＲＡＭ
６２    ＲＯＭ
６４    Ｉ／Ｏ
６６    バス
６８    マイクロコンピュータ
７０    通信Ｉ／Ｆ
７２    モニタ用ＬＥＤ
７２Ａ    モニタ
７２Ｂ    モニタ
７４    接触体検出ユニット
７６    位置検出センサ
７８    接触体
８０    処理項目
【図１】
2013242773.tif 000003
【図２】
2013242773.tif 000004
【図３】
2013242773.tif 000005
【図４】
2013242773.tif 000006
【図５】
2013242773.tif 000007
【図６】
2013242773.tif 000008
【図７】
2013242773.tif 000009
【図８】
2013242773.tif 000010
【図９】
2013242773.tif 000011
【図１０】
2013242773.tif 000012
【図１１】
2013242773.tif 000013
【図１２】
2013242773.tif 000014
【図１３】
2013242773.tif 000015